(57)【要約】【課題】本発明は電子機器に関するもので、使い勝手を良くすることを目的とするものである。【解決手段】そして、この目的を達成するために本発明は、前面開口部５を有する本体ケース６と、この本体ケース６の前記前面開口部５を開閉自在に覆ったカバー７と、このカバー７の背面側の前記本体ケース６内に配置された携帯情報機器用保持部８と、この携帯情報機器用保持部８に保持された携帯電話９と電気的接続を行う電気的接続手段１０とを備え、前記カバー７を、実質的に透明な構成とし、前記携帯情報機器用保持部８は、携帯電話９の操作部２３を、前記本体ケース６の前面側として、この携帯電話９を保持する構成とし、前記電気的接続手段１０は、前記携帯電話９に対して着脱自在とするとともに、この電気的接続手段１０には、前記携帯情報機器用保持部８との電気的接続を行う端子１０ａと、前記携帯電話９との電気的接続を行う端子１０ｂを設けた。【選択図】図１４
2012011791.tif 000002
【特許請求の範囲】
【請求項１】
前面開口部を有する本体ケースと、この本体ケースの前記前面開口部を開閉自在に覆ったカバーと、このカバーの背面側の前記本体ケース内に配置された携帯情報機器用保持部と、この携帯情報機器用保持部に保持された携帯情報機器と電気的接続を行う電気的接続手段とを備え、前記カバーを、実質的に透明な構成とし、前記携帯情報機器用保持部は、前記携帯情報機器の操作部を、前記本体ケースの前面側として、この携帯情報機器を保持する構成とし、前記電気的接続手段は、前記携帯情報機器用保持部に対して着脱自在とするとともに、この電気的接続手段には、前記携帯情報機器用保持部との電気的接続を行う第一の端子と、前記携帯情報機器との電気的接続を行う第二の端子を設けた電子機器。
【請求項２】
前記電気的接続手段には、前記携帯情報機器用保持部への機械的に固定を行う突起を設け、前記携帯情報機器用保持部には、前記突起が挿入される挿入穴を設けた請求項１に記載の電子機器。
【請求項３】
前記電気的接続手段の第一の端子の両側に突起を設けた請求項２に記載の電子機器。
【請求項４】
前記携帯情報機器用保持部には、前記電気的接続手段を装着するための装着部を設け、この装着部には、前記電気的接続手段の外周を摺動案内するガイド部を設けた請求項１から３の何れか一つに記載の電子機器。
【発明の詳細な説明】
【技術分野】
【０００１】
本発明は、車両などに搭載される電子機器に関する。
【背景技術】
【０００２】
近年の携帯情報機器、例えば携帯電話は、ますます、その機能が充実し、電話機能だけでなく、音楽プレーヤ機能や、カーナビゲーション機能までが搭載されている。
【０００３】
したがって、この携帯電話を他の電子機器、例えば、車載用の電子機器に接続すれば、携帯電話で再生した音楽を、車両のスピーカから流すこともできるようになる。
【０００４】
そこで、このような要望に応えるために車載用の電子機器として、次のような構成のものが提案されている。
【０００５】
すなわち、車載用電子機器を構成する本体ケース内に、引出し構造の収納部を設け、この収納部内には、携帯情報機器との電気的接続手段を設けた構成となっていた（例えば下記特許文献１）。
【先行技術文献】
【特許文献】
【０００６】
【特許文献１】特開２００８−２４２５９号公報
【発明の概要】
【発明が解決しようとする課題】
【０００７】
前記従来例における課題は、使い勝手が悪いということであった。
【０００８】
すなわち、前記従来例では、携帯情報機器を、前記電子機器の収納部に収納させるとともに、電気的接続手段を介してこの携帯情報機器と電子機器とを接続し、これによって上述したように、携帯情報機器が保有する、音楽プレーヤ機能による再生音を車両のスピーカから流すことが出来るようにしている。
【０００９】
しかしながら、このような状況においては、携帯情報機器が保有する音楽プレーヤ機能を使用しているにもかかわらず、この携帯情報機器が電子機器の収納部に収納され、外部からは見ることが出来ないので、携帯情報機器の現動作状態を十分に理解することが出来ず、その結果として極めて使い勝手の悪いものになるのであった。
【００１０】
そこで、本発明は、使い勝手を良くすることを目的とするものである。
【課題を解決するための手段】
【００１１】
そしてこの目的を達成するために本発明は、前面開口部を有する本体ケースと、この本体ケースの前記前面開口部を開閉自在に覆ったカバーと、このカバーの背面側の前記本体ケース内に配置された携帯情報機器用保持部と、この携帯情報機器用保持部に保持された携帯情報機器と電気的接続を行う電気的接続手段とを備え、前記カバーを、実質的に透明な構成とし、前記携帯情報機器用保持部は、携帯情報機器の操作部を、前記本体ケースの前面側として、この携帯情報機器を保持する構成とし、前記電気的接続手段は、前記携帯情報機器用保持部に対して着脱自在とするとともに、この電気的接続手段には、前記携帯情報機器用保持部との電気的接続を行う第一の端子と、前記携帯情報機器との電気的接続を行う第二の端子を設け、これにより所期の目的を達成するものである。
【発明の効果】
【００１２】
以上のように本発明は、前面開口部を有する本体ケースと、この本体ケースの前記前面開口部を開閉自在に覆ったカバーと、このカバーの背面側の前記本体ケース内に配置された携帯情報機器用保持部と、この携帯情報機器用保持部に保持された携帯情報機器と電気的接続を行う電気的接続手段とを備え、前記カバーを、実質的に透明な構成とし、前記携帯情報機器用保持部は、携帯情報機器の操作部を、前記本体ケースの前面側として、この携帯情報機器を保持する構成とし、前記電気的接続手段は、前記携帯情報機器用保持部に対して着脱自在とするとともに、この電気的接続手段には、前記携帯情報機器用保持部との電気的接続を行う第一の端子と、前記携帯情報機器との電気的接続を行う第二の端子を設けたので、使い勝手を良くすることができる。
【００１３】
すなわち、本発明においては、前記カバーを、実質的に透明な構成とするとともに、前記携帯情報機器用保持部は、携帯情報機器の操作部を、前記本体ケースの前面側として、この携帯情報機器を保持する構成としたものであるので、前記携帯情報機器用保持部により携帯情報機器が保持された状態では、この携帯情報機器の操作部が、カバーを介して前記本体ケースの前面側から目視することが出来る。
【００１４】
このため、携帯情報機器を本体ケース内に収納した状態であるにも関わらず、この携帯情報機器の動作状態を確認することが出来、その結果として極めて使い勝手の良いものとなるのである。
また、本発明においては、前記電気的接続手段を、前記携帯情報機器用保持部に対して着脱自在とするとともに、この電気的接続手段には、前記携帯情報機器用保持部との電気的接続を行う第一の端子と、前記携帯情報機器との電気的接続を行う第二の端子を設けたので、この点からも使い勝手を良くすることができる。
【００１５】
すなわち、本発明においては、前記電気的接続手段を、前記携帯情報機器用保持部に対して着脱自在とするとともに、この電気的接続手段には、前記携帯情報機器用保持部との電気的接続を行う第一の端子と、前記携帯情報機器との電気的接続を行う第二の端子を設けたので、前記携帯情報機器用保持部に保持させる携帯情報機器の種類、具体的には携帯情報機器の端子の形状が異なるものでも、それにあわせた構造の第二の端子を有する電気的接続手段を用意しておけば、この電気的接続手段を利用し、各種携帯情報機器を簡単に携帯情報機器用保持部に保持させることが出来、この点からも使い勝手を良くすることができるのである。
【００１６】
また、この電気的接続手段における第二の端子位置を、携帯情報機器の形状に合わせて変更すれば、携帯情報機器の端子位置に関わらず、この携帯情報機器を前記携帯情報機器用保持部の中心位置に保持することも出来、その結果としてカバーの中心位置に携帯情報機器が保持された状態となり、このようになれば上述したカバーを介しての携帯情報機器の操作部を前記本体ケースの前面側から目視する場合にも、見やすく、その結果として本体ケース内に携帯情報機器を収納した状態であるにも関わらず、この携帯情報機器の動作状態を確認しやすく、極めて使い勝手の良いものとなる。
【図面の簡単な説明】
【００１７】
【図１】本発明の実施の形態１にかかる電子機器を車両に搭載した状態を示す斜視図
【図２】同電子機器の斜視図
【図３】同電子機器の斜視図
【図４】同電子機器の斜視図
【図５】同電子機器の斜視図
【図６】同電子機器の斜視図
【図７】同電子機器の斜視図
【図８】同電子機器の断面図
【図９】同電子機器の断面図
【図１０】同電子機器の断面図
【図１１】同電子機器の断面図
【図１２】同電子機器の要部背面図
【図１３】同電子機器の要部背面図
【図１４】同電子機器の要部分解斜視図
【図１５】同電子機器の要部斜視図
【発明を実施するための形態】
【００１８】
以下、本発明の一実施の形態を、車載用の電子機器に適用したものを、図面を用いて説明する。
（実施の形態１）
図１において、１は車両本体を示し、この車両本体１の車内２前方にはハンドル３が配置され、またハンドル３の左方には電子機器４が装着されている。
【００１９】
電子機器４は音楽プレーヤ機能や、カーナビゲーション機能等を有するものであって、全体的な構成は図２〜図５に示すようになっている。
【００２０】
すなわち、この電子機器４は、前面開口部５を有する箱状の本体ケース６と、この本体ケース６の前記前面開口部５を開閉自在に覆ったカバー７と、このカバー７の背面側の前記本体ケース６内に配置された携帯情報機器用保持部８と、この携帯情報機器用保持部８に保持された携帯電話（携帯情報機器の一例）９と電気的接続を行う電気的接続手段１０とを備えた構成となっている。
【００２１】
前記カバー７は、本体ケース６の前記前面開口部５を開閉自在に覆ったものであって、この開閉動作を行わせるために本実施形態では、カバー７の内面側下方の両側に、それぞれレバー１１Ａ、１１Ｂの前端側を連結している。
【００２２】
図８〜図１３はこのレバー１１Ａ、１１Ｂなどの動作を説明するための図であり、図８が図２のごとく、本体ケース６の前面開口部５がカバー７で閉じられた状態、つまり本体ケース６の前面開口部５がカバー７で覆われた状態を示している。
【００２３】
また、図９が、図３のごとく本体ケース６の前面開口部５がカバー７から開放された状態、つまり本体ケース６の前面開口部５が開放された状態を示している。
【００２４】
すなわち、カバー７の開閉のためには、レバー１１Ａ、１１Ｂが前後に移動する構成となっている。
【００２５】
具体的には、左右のレバー１１Ａ、１１Ｂの中部から後部にかけてのそれぞれ２箇所が、図８から理解されるように、本体ケース６の前後に所定間隔をおいて配置されたレバー１２の上端の軸支部１２ａで、軸支状態で支持されており、またこのレバー１２の下端は軸支部１２ｂにより、基台１３に軸支状態で支持されており、さらにレバー１２の下端に固定している軸１４には第一モータ（図示せず）が連結されている。
【００２６】
したがって、この第一モータ（図示せず）を半時計方向に駆動し、レバー１２の上端を図８から図９のごとく左方に移動させれば、カバー７が開き、本体ケース６の前面開口部５が開放される。
【００２７】
また、この第一モータ（図示せず）を時計方向に駆動し、レバー１２の上端を図９から図８のごとく右方に移動させれば、カバー７が閉じ、本体ケース６の前面開口部５が閉成される。
【００２８】
さて、図２は上述のごとく、本体ケース６の前面開口部５がカバー７で閉成された状態であるが、この状態で、カバー７を開放するためには、カバー７の前面上方左側のスイッチ１５を押圧操作する。
【００２９】
すると、第一モータ（図示せず）が駆動され、レバー１２の上端が図８から図９のごとく左方に移動させられ、この結果として図３のごとく、カバー７が開き、本体ケース６の前面開口部５が開放される。
【００３０】
このカバー７の開放動作について今少し詳細に説明すると、レバー１１Ａ、１１Ｂの軸支部１２ａよりも先端側は図３、図８〜図１１からも理解されるように、その後方側よりも下方に湾曲しながら下がった状態となっている。
【００３１】
このため、上述のごとく、第一モータ（図示せず）が駆動され、レバー１２の上端が図８から図９のごとく左方に移動させられると、レバー１１Ａ、１１Ｂの先端側は、図３、図９のごとく、本体ケース６の前面開口部５よりも下方に降ろされることになる。
【００３２】
また、このようなレバー１１Ａ、１１Ｂの動きにより、カバー７が図３、図９のごとく水平方向に開放されるためには、レバー１１Ｂの先端側に、次のような周知の機構が取り付けられている。
【００３３】
つまり、レバー１１Ｂの先端側は軸支部１１ａにより回動自在にカバー７と連結されている。
【００３４】
また、軸支部１１ａが貫通した歯車７ａはカバー７の内側に固定されており、それ自体が回動することは無い。
【００３５】
さらに、レバー１１Ｂ内は空洞状態となっており、その内部には前記第一モータ（図示せず）によって駆動されるリング状のチューン（図示せず）が収納されている。
【００３６】
また、このチューン（図示せず）によって回動する歯車（図示せず）は前記歯車７ａに歯合状態で係合している。
【００３７】
このため、上述のごとく、第一モータ（図示せず）が駆動され、レバー１２の上端が図８から図９のごとく左方に移動させられると、これに連動する状態で、歯車７ａと、前記チューン（図示せず）によって回動する歯車（図示せず）との歯合部が歯車７ａの時計方向に移動することになる。
【００３８】
上述のごとく歯車７ａはカバー７に固定されているので、この時には、逆にカバー７が軸支部１１ａを中心として、図８から図９のごとく半時計方向に回動することになる。
【００３９】
以上の機構は周知の構造であるので、これ以上の説明は割愛するが、結論として、第一モータ（図示せず）が駆動され、レバー１２の上端が図８から図９のごとく左方に移動させられると、図３、図９のごとく、カバー７が開き、本体ケース６の前面開口部５が開放されることになる。
【００４０】
そして、このようにカバー７が開き、本体ケース６の前面開口部５が開放されたことが
検知されると、次には図９に示すレバー１６が、第二モータ（図示せず）で駆動されるギア（図示せず）との係合により、図９から図１０のごとく左方に移動される。
【００４１】
レバー１６の左端側には上述した携帯情報機器用保持部８が連結されており、この結果として図３、図１０に示すごとく、携帯情報機器用保持部８が本体ケース６の前面開口部５前方外へと押し出されることになる。
【００４２】
ここで、レバー１６と携帯情報機器用保持部８との連結構造について説明する。
【００４３】
図１０からも理解されるように、レバー１６の左端側（前方側）は、直角方向に上方に折り曲げられ、ここで図１２に示す回動部１７が形成されている。
【００４４】
具体的には、この回動部１７は１／４円状となっており、その外周部の少し内側には、１／４円弧状の回動溝１８が形成されている。
【００４５】
そして、この回動溝１８内には、携帯情報機器用保持部８の背面側から後方に伸ばされたピン１９が移動自在に係合させられている。
【００４６】
また、１／４円状となった回動部１７の中心部には、第三モータ（図示せず）で回転する回転軸２０が設けられており、この回転軸２０は携帯情報機器用保持部８に固定されている。
【００４７】
このため、第三モータ（図示せず）で回転軸２０を図１２の半時計方向に回転させれば、回動溝１８内をピン１９が図１３のごとく上方に移動し、その結果として携帯情報機器用保持部８は図１３のごとく立設した状態となる。
【００４８】
携帯情報機器用保持部８が図１３のごとく立設した状態とは、本体ケース６の正面側から見ると図１、図４の状態である。
【００４９】
つまり、携帯情報機器用保持部８が、本体ケース６の前面開口部５の前方側に飛び出し、しかも立設した状態となっている。
【００５０】
この状態になると、携帯電話（携帯情報機器の一例）９の使用者は、この携帯電話９を図５、図１１のごとく、携帯情報機器用保持部８に装着する。
【００５１】
本実施形態においては、携帯情報機器用保持部８は、携帯電話（携帯情報機器の一例）９の外周の対向部分、具体的には携帯電話（携帯情報機器の一例）９の左右部分を保持する保持爪２１設けているので、この携帯電話９を図５、図１１のごとく、携帯情報機器用保持部８に装着すれば、左右の保持爪２１によって縦長の携帯電話（携帯情報機器の一例）９の左右部分が挟持保持される。
【００５２】
また、携帯情報機器用保持部８の左右の保持爪２１の背面側は当接面（図４の２２）となっているので、携帯電話（携帯情報機器の一例）９の背面側は当接面２２に当接保持される。
【００５３】
さらに、携帯情報機器用保持部８の下方には、上述した電気的接続手段１０が配置されており、この電気的接続手段１０はいわゆるプラグ構造となっている。
【００５４】
したがって、携帯情報機器用保持部８に携帯電話（携帯情報機器の一例）９を装着するときには、先ずはこの電気的接続手段１０を携帯電話（携帯情報機器の一例）９の下端に
設けたコネクターに挿入し、これにより機械的、電気的な接続を行う。
【００５５】
そして、その後、上述したように、この携帯電話９の左右部分を保持爪２１によって挟持保持し、また、携帯電話９の背面側を当接面２２で当接保持することになる。
【００５６】
この状態は、図５に示すように携帯電話９は通常の使用状態と同じ立設状態であって、しかも本体ケース６の前面開口部５の前方に突出した状態となっているので、使用者はいつも使い慣れた携帯電話９で、その表面側に設けた操作部（タッチパネル方式）２３により、音楽プレーヤ機能や、カーナビゲーション機能を選択、操作することになる。
【００５７】
つまり、このようにすれば、携帯電話９が保有する、音楽プレーヤ機能や、カーナビゲーション機能に基づく音情報は、車両本体１の車内２に設けたスピーカ（図示せず）から出力することができるようになるのである。
【００５８】
そして、このような携帯電話９の操作部２３で、音楽プレーヤ機能や、カーナビゲーション機能を選択、操作した後には、図５のカバー７の背面側（カバー７の立設状態では上方部）に設けたスイッチ２４を押圧操作する。
【００５９】
すると、第三モータ（図示せず）で回転軸２０が図１３の時計方向に回転させられ、これにより回動溝１８内をピン１９が図１２のごとく下方に移動し、その結果として携帯情報機器用保持部８は図６、図１０のごとく横向き状態となる。
【００６０】
そして、このように携帯情報機器用保持部８が図６、図１０のごとく横向き状態となったことが検出されると、次には図１０に示すレバー１６が、第二モータ（図示せず）で駆動されるギア（図示せず）との係合により、図１０から図９のごとく右方に移動され、この結果として携帯情報機器用保持部８は本体ケース６の前面開口部５内に収納されることになる。
【００６１】
そして、このようにレバー１６が、第二モータ（図示せず）で駆動されるギア（図示せず）との係合により、図１０から図９のごとく右方に移動され、携帯情報機器用保持部８は本体ケース６の前面開口部５内に収納されたことが検出されると、次には第一モータ（図示せず）が駆動され、レバー１２の上端を図９から図８のごとく右方に移動させ、これにより、図７、図８のごとく、本体ケース６の前面開口部５がカバー７によって閉じられることになる。
【００６２】
この時、図７からも理解されるように、携帯電話９の操作部２３は、本体ケース６の前面側に表出する状態で携帯情報機器用保持部８によって保持され、また前記カバー７は、実質的に透明な構成としているので、カバー７を介して携帯電話９の操作部２３を目視し、その動作状態を確認することができ、その結果として極めて使い勝手の良いものとなる。
【００６３】
また、本実施形態においては、携帯情報機器用保持部８への携帯電話９の装着時や、この携帯情報機器用保持部８からの携帯電話９の脱着時には、図３〜図６から理解されるように、この携帯情報機器用保持部８が本体ケース６の前面開口部５前方外に突出しているので、これらの装着や脱着作業は極めて簡単に行うことが出来るものとなる。
【００６４】
さらに本実施形態では、携帯情報機器用保持部８の左右の保持爪２１によって、縦長の携帯電話（携帯情報機器の一例）９の左右部分が挟持保持する構成としているので、携帯電話９の保持が安定するものとなる。
【００６５】
つまり、縦長の携帯電話９の左右の長辺部分を、左右の保持爪２１によって保持する構成とすれば、保持する面積が増加するので、携帯電話９の保持が安定するものとなるのである。
【００６６】
また、本実施形態においては、前記携帯情報機器用保持部８を、前記カバー７の開放時に、前記本体ケース６の前面開口部５前方側に突出させ、その後、図３から図４のごとく略９０度回動される構造としたものであるので、この携帯情報機器用保持部８への、縦長の携帯電話９の装着、または携帯情報機器用保持部８からの縦長の携帯電話９の脱着が行いやすいものとなり、この点からも使い勝手の良いものとすることができる。
【００６７】
具体的には、携帯電話９が縦長のものであった場合には、それを図６のごとく横向けにして携帯情報機器用保持部８に保持させ、その状態で図２のごとく本体ケース６内に収納すれば、本体ケース６の高さを低く出来るので、電子機器４の低背化が図れ、また携帯情報機器用保持部８を、本体ケース６の前面開口部５前方側に図３のごとく突出後、図４のごとく回動させれば、この携帯情報機器用保持部８は立設状態となるので、この携帯情報機器用保持部８への縦長の携帯電話９の装着、または携帯情報機器用保持部８からの携帯電話９の脱着が行いやすいものとなる。
【００６８】
さらにまた、このように携帯情報機器用保持部８が立設状態となれば、縦長の携帯電話９も立設状態となるので、この状態での携帯電話９の操作も、通常の携帯電話９操作時と同じ形態となるので、簡単に行えるものとなる。
【００６９】
また、本実施形態の携帯情報機器用保持部８は上述のごとく、左右の保持爪２１間の背面側には、携帯電話９の背面側が当接する当接面となっているが、この携帯情報機器用保持部８が、前記カバー７の開放時に、図５のごとく、前記本体ケース６の前面開口部５前方側に突出され、その後、略９０度回動された時には、この携帯情報機器用保持部８の当接面の背面側は、本体ケース６の前面開口部５の開口縁に当接、または近接する構成としている。
【００７０】
このため、図５のごとく携帯情報機器用保持部８に携帯電話９が装着された状態で、車内２から携帯電話９の操作部２３を操作する場合に、携帯情報機器用保持部８が後方に押されても、携帯情報機器用保持部８の背面側が本体ケース６の前面開口部５の開口縁に当接することで、支え状態となる。
【００７１】
この結果、携帯電話９の操作部２３の操作時に、携帯電話９が後方に大きく動くことは無くなり、これにより操作性の良いものとなる。
【００７２】
また、携帯電話９の操作部２３の操作時に、携帯情報機器用保持部８への後方への過負荷が加わることもなく、これにより携帯情報機器用保持部８の損傷もおきにくく、またその動作も安定するものとなる。
【００７３】
なお、図面の煩雑さを避けるために第一、第二、第三のモータは図示していないが、これらは市販の小型モータが利用できる。
【００７４】
以上の説明で、本実施形態の基本的な構成が理解されたところで、以下に、本実施形態における他の特徴点について、図１４、図１５を用いて説明を続ける。
【００７５】
図１４、図１５は、携帯情報機器用保持部８に保持された携帯電話（携帯情報機器の一例）９と電気的接続を行う前記電気的接続手段１０の詳細な構成を示すものである。
【００７６】
この前記電気的接続手段１０は、前記携帯情報機器用保持部８に対して着脱自在な構成としている。
【００７７】
具体的には、この電気的接続手段１０は立方形状をしており、その背面側には図１５に示すように、前記携帯情報機器用保持部８との電気的接続を行う突状の端子１０ａを設けており、またその上面には、前記携帯電話９との電気的接続を行う突状の端子１０ｂを設けている。
【００７８】
さらに、この図１４における携帯情報機器用保持部８の下方には、前記電気的接続手段８を装着するための凹状の装着部８ａを設けており、この装着部８ａの両側面と底面が、前記電気的接続手段１０を、この装着部８ａに装着する際に、その外周面を摺動案内するガイド部８ｂとなっている。
【００７９】
そして、この装着部８ａに前記電気的接続手段１０を装着した状態が図４の状態であり、この図４からも理解されるように、携帯情報機器用保持部８に電気的接続手段１０は一体的に取り付けられた状態となっている（ただし、図３〜図１０においては、図面の煩雑化を避けるために、装着部８ａと電気的接続手段１０が接する線は記載していない）。
【００８０】
図１４、図１５を用いて、さらに詳細に説明を続けると、携帯情報機器用保持部８の装着部８ａ内には、前記電気的接続手段１０の端子１０ａが挿入され、電気的な接続がなされる凹状の端子８ｃが設けられており、また図５における携帯電話９の下端側には、前記端子１０ｂが挿入され、電気的な接続がなされる凹状の端子（図示せず）が設けられている。
【００８１】
また、電気的接続手段１０の端子１０ａの両側には、図１５に示すように携帯情報機器用保持部８への機械的に固定を行う突起１０ｃを設けており、これに合わせて前記携帯情報機器用保持部８には、前記突起１０ｃが挿入される挿入穴８ｄを設けている。
【００８２】
つまり、携帯情報機器用保持部８の下方の装着部８ａに、前記電気的接続手段１０を装着する時には、前記電気的接続手段１０の外周面を、装着部８ａの前記ガイド部８ｂによって摺動案内しながら押し込むことになる。
【００８３】
その結果、電気的接続手段１０の端子１０ａは、携帯情報機器用保持部８の端子８ｃ内に挿入され、電気的、機械的な接続がなされる。また、電気的接続手段１０の突起１０ｃは、携帯情報機器用保持部８の挿入穴８ｄに挿入され、これにて機械的な固定がなされる。
【００８４】
また、この状態では、図１４における電気的接続手段１０の底部と両側面は、携帯情報機器用保持部８の装着部８ａに設けたガイド部８ｂによって支えられた状態であるので、上方から携帯電話９が、前記端子１０ｂに挿入させるべく押し下げられても、安定した状態を維持できるものとなる。
【００８５】
さてこのような状況において前記携帯電話９は、個人が所有するものであって、個々人において、その形状などが異なる。
【００８６】
例えば、携帯電話９の下方に設けた接続端子（図示せず）の形状は、図５、図１４における左右の方向において、異なるものが多い。
【００８７】
そこで、本実施形態では、図１４に示すように、他の電気的接続手段１０Ａも用意しておき、使用者の携帯電話９に応じて、電気的接続手段１０、１０Ａを選択使用することと
した。
【００８８】
この場合、電気的接続手段１０Ａも、端子１０ａ、突起１０ｃは、電気的接続手段１０と同じ形状としているので、この電気的接続手段１０Ａも携帯情報機器用保持部８の装着部８ａに容易に着脱することが出来る。
【００８９】
また、この電気的接続手段１０Ａの上面に設けた端子１０Ｂは、電気的接続手段１０の上面に設けた１０ｂとは、図５、図１４における左右の方向において、異なる。
【００９０】
すなわち、本実施形態においては、前記電気的接続手段１０、１０ａを、前記携帯情報機器用保持部８に対して選択的に着脱自在としている。
【００９１】
また、これらの電気的接続手段１０、１０Ａには、それぞれ前記携帯情報機器用保持部８との電気的接続を行う端子１０ａと、前記携帯電話９との電気的接続を行う端子１０ｂ、１０Ｂを設けている。
【００９２】
つまり、前記携帯情報機器用保持部８に保持させる携帯電話９の種類、具体的には携帯電話の端子の形状が異なるものでも、それにあわせた構造の端子１０ｂ、１０Ｂを有する電気的接続手段１０、１０Ａを用意しておけば、この電気的接続手段１０、１０Ａを利用し、各種携帯電話９を簡単に携帯情報機器用保持部８に保持させることが出来、使い勝手の良いものとなる。
【００９３】
また、この電気的接続手段１０、１０Ａにおける端子１０ｂ、１０Ｂの位置を、携帯電話９の端子等に合わせて変更すれば、携帯電話９の端子位置に関わらず、この携帯電話９を前記携帯情報機器用保持部８の中心位置に保持することも出来、その結果としてカバー７の中心位置に携帯電話９が保持された状態となり、このようになれば上述したカバー７を介しての携帯電話９の操作部２３を前記本体ケース６の前面側から目視する場合にも、見やすく、その結果として本体ケース６内に携帯電話９を収納した状態であるにも関わらず、この携帯電話９の動作状態を確認しやすく、極めて使い勝手の良いものとなる。
【００９４】
なお、図１４において、２５は携帯情報機器用保持部８を構成する背面板で、この背面板２５に保持爪２１、当接面２２等が取り付けられる。
【産業上の利用可能性】
【００９５】
以上のように本発明は、前面開口部を有する本体ケースと、この本体ケースの前記前面開口部を開閉自在に覆ったカバーと、このカバーの背面側の前記本体ケース内に配置された携帯情報機器用保持部と、この携帯情報機器用保持部に保持された携帯情報機器と電気的接続を行う電気的接続手段とを備え、前記カバーを、実質的に透明な構成とし、前記携帯情報機器用保持部は、携帯情報機器の操作部を、前記本体ケースの前面側として、この携帯情報機器を保持する構成とし、前記電気的接続手段は、前記携帯情報機器用保持部に対して着脱自在とするとともに、この電気的接続手段には、前記携帯情報機器用保持部との電気的接続を行う第一の端子と、前記携帯情報機器との電気的接続を行う第二の端子を設けたので、使い勝手を良くすることができる。
【００９６】
すなわち、本発明においては、前記カバーを、実質的に透明な構成とするとともに、前記携帯情報機器用保持部は、携帯情報機器の操作部を、前記本体ケースの前面側として、この携帯情報機器を保持する構成としたものであるので、前記携帯情報機器用保持部により携帯情報機器が保持された状態では、この携帯情報機器の操作部が、カバーを介して前記本体ケースの前面側から目視することが出来る。
【００９７】
このため、携帯情報機器を本体ケース内に収納した状態であるにも関わらず、この携帯情報機器の動作状態を確認することが出来、その結果として極めて使い勝手の良いものとなるのである。
【００９８】
また、本発明においては、前記電気的接続手段を、前記携帯情報機器用保持部に対して着脱自在とするとともに、この電気的接続手段には、前記携帯情報機器用保持部との電気的接続を行う第一の端子と、前記携帯情報機器との電気的接続を行う第二の端子を設けたので、この点からも使い勝手を良くすることができる。
【００９９】
すなわち、本発明においては、前記電気的接続手段を、前記携帯情報機器用保持部に対して着脱自在とするとともに、この電気的接続手段には、前記携帯情報機器用保持部との電気的接続を行う第一の端子と、前記携帯情報機器との電気的接続を行う第二の端子を設けたので、前記携帯情報機器用保持部に保持させる携帯情報機器の種類、具体的には携帯情報機器の端子の形状が異なるものでも、それにあわせた構造の第二の端子を有する電気的接続手段を用意しておけば、この電気的接続手段を利用し、各種携帯情報機器を簡単に携帯情報機器用保持部に保持させることが出来、この点からも使い勝手を良くすることができるのである。
【０１００】
また、この電気的接続手段における第二の端子位置を、携帯情報機器の形状に合わせて変更すれば、携帯情報機器の端子位置に関わらず、この携帯情報機器を前記携帯情報機器用保持部の中心位置に保持することも出来、その結果としてカバーの中心位置に携帯情報機器が保持された状態となり、このようになれば上述したカバーを介しての携帯情報機器の操作部を前記本体ケースの前面側から目視する場合にも、見やすく、その結果として本体ケース内に携帯情報機器を収納した状態であるにも関わらず、この携帯情報機器の動作状態を確認しやすく、極めて使い勝手の良いものとなる。
【０１０１】
したがって、本発明の電子機器は、車両用などへの搭載が期待されるものとなる。
【符号の説明】
【０１０２】
１  車両本体
２  車内
３  ハンドル
４  電子機器
５  前面開口部
６  本体ケース
７  カバー
８  携帯情報機器用保持部
８ａ  装着部
８ｂ  ガイド部
８ｃ  端子
８ｄ  挿入穴
９  携帯電話（携帯情報機器の一例）
１０  電気的接続手段
１０Ａ  電気的接続手段
１０ａ  端子（第一の端子）
１０ｂ、１０Ｂ  端子（第二の端子）
１０ｃ  突起
１１Ａ、１１Ｂ  レバー
１２  レバー
１３  基台
１４  軸
１５  スイッチ
１６  レバー
１７  回動部
１８  回動溝
１９  ピン
２０  回転軸
２１  保持爪
２２  当接面
２３  操作部
２４  スイッチ
【図１】
2012011791.tif 000003
【図２】
2012011791.tif 000004
【図３】
2012011791.tif 000005
【図４】
2012011791.tif 000006
【図５】
2012011791.tif 000007
【図６】
2012011791.tif 000008
【図７】
2012011791.tif 000009
【図８】
2012011791.tif 000010
【図９】
2012011791.tif 000011
【図１０】
2012011791.tif 000012
【図１１】
2012011791.tif 000013
【図１２】
2012011791.tif 000014
【図１３】
2012011791.tif 000015
【図１４】
2012011791.tif 000016
【図１５】
2012011791.tif 000017